(57)【特許請求の範囲】
【請求項１】
縦方向およびそれに直交する横方向と、肌対向面およびその反対面である非肌対向面とを有し、前ウエスト域を画定する前ウエストパネルと、後ウエスト域を画定する後ウエストパネルと、クロッチ域を画定するクロッチパネルとを含み、前記クロッチパネルは吸収体の前記肌対向面が透液性表面シートで被覆してある吸液構造体と、前記吸収体の前記横方向の両側それぞれに位置して前記前後ウエスト域にまで延びる一対のサイドフラップとを含み、前記前後ウエストパネルの両側部が互いに接合され、前記クロッチパネルの前後両端部それぞれが前記前後ウエストパネルそれぞれの前記肌対向面に接合されることにより、ウエスト開口と一対のレッグ開口とが画定されるパンツ型の着用物品において、
前記サイドフラップは、前記レッグ開口の周縁の一部を形成し、前記周縁に沿って延びるレッグ弾性域を有するとともに、前記前ウエスト域から前記後ウエスト域にまで延びる図柄表示部を有し、
前記レッグ弾性域は、それに含まれるレッグ弾性体によって画定されて前記横方向で互いに対向する内側縁と外側縁とを有し、
前記図柄表示部は、前記横方向において、少なくとも前記内側縁の内側にあって、前記内側縁に沿って延びるように形成され、
前記前後ウエストパネルの少なくとも一方のウエストパネルに対して、前記サイドフラップは、少なくとも、前記クロッチパネルの前記横方向の中心と前記レッグ弾性域の前記内側縁との間が接合されていることを特徴とする前記着用物品。
【請求項２】
前記前後ウエストパネルは、前記レッグ開口の前記周縁の一部を形成し、前記前後ウエストパネルには、前記図柄表示部との識別が可能な表示部位が前記周縁に沿って形成されている請求項１記載の着用物品。
【請求項３】
前記少なくとも一方のウエストパネルには、前記横方向に延びる複数条のウエスト弾性体が伸縮可能に位置し、
前記サイドフラップには、前記レッグ開口の前記周縁に沿って延びる複数条の前記レッグ弾性体が伸縮可能に位置し、
複数条の前記レッグ弾性体のうちで前記レッグ弾性域の前記内側縁を形成する前記レッグ弾性体と、少なくとも一条の前記ウエスト弾性体とが、前記少なくとも一方のウエストパネルと前記サイドフラップとが重なり合い互いに接合している部位において、互いに交差した状態にある請求項１または２記載の着用物品。
【請求項４】
前記少なくとも一方のウエストパネルにおける前記ウエスト弾性体のうちで、該ウエストパネルの両側部から前記吸収体の両側縁にまで延びている前記ウエスト弾性体は、前記吸収体を横断することのない態様にあるか、前記吸収体を横断していても前記吸収体を横断している部分では弛緩した態様のいずれかの態様にあって、前記吸収体には前記いずれかの態様にある前記ウエスト弾性体の収縮に起因したギャザーが形成されていない請求項３記載の着用物品。
【請求項５】
前記図柄表示部は、前記レッグ弾性域の前記内側縁に並行する外側縁を有し、前記横方向において、前記外側縁の外側には前記表示部位が形成されている請求項２に記載の着用物品。
【請求項６】
前記内側縁を形成する前記レッグ弾性体と交差している前記ウエスト弾性体の伸長力は、前記レッグ弾性体の伸長力より大きい請求項３または４記載の着用物品。
【請求項７】
前記サイドフラップは、前記後ウエスト域において、前記横方向の中心と、前記レッグ弾性域の前記内側縁との間に位置する部位が、前記後ウエストパネルに接合され、
前記後ウエストパネルは、前記縦方向の寸法を三等分して得られる前記横方向に伸縮可能な上側弾性域と下側弾性域と、前記上側弾性域と前記下側弾性域との間に位置して、前記横方向に伸縮可能な中間弾性域との間において、
前記上側及び中間弾性域それぞれの伸長力は、前記下側弾性域の伸長力よりも大きく、かつ、前記レッグ弾性域の前記縦方向の伸長力よりも大きい請求項１〜６のいずれかに記載の着用物品。
【請求項８】
前記クロッチパネルは、前記縦方向と前記横方向とに延びる接合部のそれぞれを介して前記前後ウエストパネルに接合される請求項１〜７のいずれかに記載の着用物品。
【請求項９】
前記クロッチパネルにおける前記サイドフラップは、前記吸液構造体とは別体に形成されていて、前記横方向へ延びる多数のギャザーが前記縦方向に並んだ状態で前記吸液構造体に接合されており、
前記サイドフラップの前記横方向における最外側部分を前記縦方向へ伸長したときの最大寸法は、前記サイドフラップが接合されている部分における前記吸液構造体の前記縦方向の寸法よりも大きい請求項１〜８のいずれかに記載の着用物品。
【発明の詳細な説明】
【技術分野】
【０００１】
本発明は、パンツ型の使い捨て着用物品に関し、より詳しくは、レッグ開口縁部に弾性域が形成されていて、パンツ型の使い捨ておむつ、使い捨てのトイレット・トレーニングパンツ、使い捨て失禁パンツ等として使用するのに好適な使い捨てのパンツ型の着用物品に関する。
【背景技術】
【０００２】
従来、レッグ開口の周縁部にレッグ弾性域が形成された使い捨てのパンツ型の着用物品は公知である。例えば、特許文献１には、クロッチ域を中心として前後ウエスト域まで延びる吸収体と、該吸収体の両側縁の外側に位置する一対のサイドフラップとを有し、該サイドフラップにはレッグ開口の周縁部に沿ってレッグ弾性域が形成されているパンツ型の着用物品が開示されている。
【先行技術文献】
【特許文献】
【０００３】
【特許文献１】国際公開第２００６／０１７７１８号
【発明の概要】
【発明が解決しようとする課題】
【０００４】
特許文献１に開示された着用物品によれば、サイドフラップにレッグ弾性域が形成されることによって、レッグ開口の周縁部が着用者の大腿部にフィットし、排泄物の横漏れを防止することができる。
【０００５】
このような着用物品では、それを着用者が着用する際に、着用物品のウエスト開口を広げると、クロッチ域の最下部において、サイドフラップの弾性域がレッグ開口の内側に向かって立ち上がった状態になる。この状態のままで着用者の脚をレッグ開口に通すと、サイドフラップにおけるレッグ開口の周縁部が着用物品の内側に折れ曲がった状態で着用されることがある。特に、レッグ弾性域の内側縁でサイドフラップが着用物品の内側に折れ曲がっている場合、レッグ弾性域が適切に機能しないから、この折れ曲がり状態に気付かずに着用物品の着用を続けると、排泄物の横漏れを起こすおそれがある。
【０００６】
本発明の目的は、従来の技術の改良であって、着用物品を着用する際にサイドフラップがレッグ弾性域の内側縁で折れ曲がることを防止するとともに、サイドフラップが折れ曲がった状態にあることを容易に発見することができる使い捨てのパンツ型の着用物品の提供にある。
【課題を解決するための手段】
【０００７】
上記課題を達成するために、本発明が対象とするのは、縦方向およびそれに直交する横方向と、肌対向面およびその反対面である非肌対向面とを有し、前ウエスト域を画定する前ウエストパネルと、後ウエスト域を画定する後ウエストパネルと、クロッチ域を画定するクロッチパネルとを含み、前記クロッチパネルは吸収体の前記肌対向面が透液性表面シートで被覆してある吸液構造体と、前記吸収体の前記横方向の両側それぞれに位置して前記前後ウエスト域にまで延びる一対のサイドフラップとを含み、前記前後ウエストパネルの両側部が互いに接合され、前記クロッチパネルの前後両端部それぞれが前記前後ウエストパネルそれぞれの前記肌対向面に接合されることにより、ウエスト開口と一対のレッグ開口とが画定されるパンツ型の着用物品である。
【０００８】
本発明は、上記着用物品において、前記サイドフラップは、前記レッグ開口の周縁の一部を形成し、前記周縁に沿って延びるレッグ弾性域を有するとともに、前記前ウエスト域から前記後ウエスト域にまで延びる図柄表示部を有し、前記レッグ弾性域は、それに含まれるレッグ弾性体によって画定されて前記横方向で互いに対向する内側縁と外側縁とを有し、前記図柄表示部は、前記横方向において、少なくとも前記内側縁の内側にあって、前記内側縁に沿って延びるように形成され、前記前後ウエストパネルの少なくとも一方のウエストパネルに対して、前記サイドフラップは、少なくとも、前記クロッチパネルの前記横方向の中心と前記レッグ弾性域の前記内側縁との間が接合されている、ことを特徴とする。
【発明の効果】
【０００９】
本発明に係るパンツ型の着用物品の一つ以上の実施形態によれば、前後ウエスト域の少なくとも一方のウエストパネルにおいて、サイドフラップは、クロッチパネルの中心とレッグ弾性域の内側縁との間が、該ウエストパネルに接合されるため、レッグ弾性域の内側縁において該サイドフラップが着用物品の内側へ入り込むように折れ曲がることを防止することができる。また、サイドフラップには、前ウエスト域から後ウエスト域にまで延びる図柄表示部が形成され、該図柄表示部は、レッグ弾性域の内側縁に沿って延びるように形成されているため、サイドフラップがレッグ弾性域の内側縁で着用物品の内側に折れ曲がった状態にある場合、母親や着用者は図柄表示部の延びている状態によって、サイドフラップの折れ曲りを容易に発見することができる。その発見によって、母親等には、サイドフラップの状態を速やかに修正することができる。
【図面の簡単な説明】
【００１０】
図面は、本発明の特定の実施の形態を示し、発明の不可欠な構成ばかりでなく、選択的及び好ましい実施の形態を含む。
【図１】本発明に係るパンツ型の着用物品の一例として示す、第１実施形態におけるパンツ型の使い捨ておむつの斜視図。
【図２】前後ウエストパネルの接合を解いて、弾性部材の収縮作用によるギャザーがなくなる程度にまで縦方向及び横方向に伸展したおむつの展開図。
【図３】図２のおむつの部分部破断分解図。
【図４】図２と同様の図であって、接合部を説明するための図。
【図５】図２のＶ−Ｖ線に沿う模式的断面図。
【図６】図１のおむつにおけるクロッチ域の最下部の模式的断面図。
【図７】（ａ）着用状態にあるおむつの正面図。（ｂ）着用状態にあるおむつの背面図。
【図８】（ａ）サイドフラップの折れ曲がりが生じた場合における図６（ａ）と同様の図。（ｂ）サイドフラップの折れ曲がりが生じた場合における図６（ｂ）と同様の図。
【図９】（ａ），（ｂ）によって着用者である乳幼児の着用動作の一例を示す図。
【図１０】第２実施形態における図２と同様の展開図。
【図１１】第３実施形態における図２と同様の展開図。
【発明を実施するための形態】
【００１１】
下記の実施の形態は、図１〜１１に示すパンツ型の着用物品に関し、発明の不可欠な構成ばかりではなく、選択的及び好ましい構成を含む。
【００１２】
＜第１実施形態＞
図１は、本発明に係るパンツ型の着用物品の一例である使い捨てのパンツ型のおむつ１０を示す。図１〜３を参照すると、おむつ１０は、互いに直交する縦軸Ｐ及び横軸Ｑと、縦軸Ｐに平行な縦方向Ｙ及び横軸Ｑに平行な横方向Ｘと、肌対向面（図２にあらわれている面）及びその反対面である非肌対向面と、環状のウエストパネル１２（図１参照）と、ウエストパネル１２の肌対向面に取り付けられたクロッチパネル１３とを含む。クロッチパネル１３は、ウエストパネル１２の肌対向面に連結されていて吸収体５８を有する吸液構造体１１を含む。また、おむつ１０は、前ウエスト域１４と、後ウエスト域１５と、前後ウエスト域１４，１５間に位置するクロッチ域１６とを有し、縦軸Ｐに関して対称である。すなわち、縦軸Ｐは、おむつ１０の横方向Ｘの寸法を二等分する中心線である。横軸Ｑは、図２においておむつ１０の縦方向Ｙの寸法を二等分する中心線である。
【００１３】
＜ウエストパネル＞
ウエストパネル１２は、吸液構造体１１を着用者の股下間に固定するための弾性ベルト機能を有し、前ウエスト域１４を画定する前ウエストパネル１８と、後ウエスト域１５を画定する後ウエストパネル１９とを有する。図２において、前ウエストパネル１８は、下端縁１８ａと、上端縁１８ｂと、両端縁１８ａ，１８ｂ間に延びる両側縁１８ｃ，１８ｄとによって画定された横長方形状を有する。後ウエストパネル１９は、下端縁１９ａと、上端縁１９ｂと、両端縁１９ａ，１９ｂ間に延びる両側縁１９ｃ，１９ｄとによって画定された横長方形状を有する。図２における前ウエストパネル１８の両側縁１８ｃ，１８ｄのそれぞれと後ウエストパネル１９の両側縁１９ｃ，１９ｄのそれぞれは、互いに重ね合わされて、縦方向Ｙへ断続的に並ぶシーム部２０において公知の手段、例えば、熱エンボス加工、ソニック加工などの熱溶着手段によって連結され、図１におけるウエスト開口２２が画定される。前後ウエスト域１４，１５は、前後ウエストパネル１８，１９がシーム部２０によって両側縁部どうしを連結されることによって形成されるものである。前後ウエストパネル１８，１９において、レッグ開口２３の周縁の一部を形成する下端縁１８ａ，１９ａに沿った部位であるレッグ開口縁部１８ｅ，１９ｅは、後述する図柄表示部６１と目視で識別できるように形成される。本実施形態では、クロッチパネル１３におけるサイドフラップ４３に図柄の画かれた図柄表示部６１を形成し、レッグ開口縁部１８ｅ，１９ｅには図柄表示部６１の図柄と同じ図柄を表示しないことによって、それぞれの識別を可能にしている。本実施形態において、下端縁１８ａ，１９ａは、シーム部２０によって形成される連結部の下端に位置している。
【００１４】
図３を参照すると、前後ウエストパネル１８，１９は、それぞれ、肌対向面の側に位置するウエスト内層２４，２５と、非肌対向面側に位置するウエスト外層２６，２７とを有する。ウエスト外層２６，２７はウエスト内層２４，２５よりも縦方向Ｙの幅寸法が大きく、ウエスト開口縁で折り返されている。ウエスト内層２４，２５の一部は、折り返されたウエスト外層２６，２７の間に位置する。
【００１５】
＜ウエスト内層及びウエスト外層＞
ウエスト内層２４，２５及びウエスト外層２６，２７には、質量約１５〜３０ｇ／ｍ２のＳＭＳ（スパンボンド・メルトブローン・スパンボンド）不織布、スパンボンド不織布、エアスルー不織布、プラスチックフィルム、または、前記いずれかの繊維不織布とプラスチックフィルムとのラミネートシートなどを用いることができる。ウエスト内層２４とウエスト外層２６、ウエスト内層２５とウエスト外層２７とは、ホットメルト接着剤または公知の熱溶着手段によって接合される。また、ウエスト内層２４，２５には弾性繊維不織布を用いてもよい。
【００１６】
＜グラフィック表示フィルム＞
図２及び３を参照すると、ウエスト内層２４とウエスト外層２６、およびウエスト内層２５とウエスト外層２７との間には、前後ウエスト域１４，１５の横方向Ｘの中央部において、非肌対向面から透視可能なグラフィックデザイン（図示せず）などが印刷された、プラスチックフィルム２８，２９が配置されている。グラフィックデザインは、様々な形状の図柄、および図柄の組み合わせによって得ることができる。図柄には定形のものや不定形のものがある。定形の図柄の一例は、ドットやストライプである。図柄や図柄の周囲には、無彩色や有彩色を使用することができる。また、明度や彩度、色相を変化させることができる。
【００１７】
＜各弾性域＞
前後ウエストパネル１８，１９には、横方向Ｘへ伸縮可能なウエスト弾性域が形成されている。ウエスト弾性域には、各ウエストパネル１８，１９の上端縁１８ｂ，１９ｂと下端縁１８ａ、１９ａとの間を縦方向Ｙにおいて三等分して得られる上側弾性域３４ａ，３５ａと、中間弾性域３４ｂ、３５ｂと、下側弾性域３４ｃ，３５ｃとがある。これら上側弾性域３４ａ，３５ａ、中間域３４ｂ，３５ｂａ及び下側弾性域３４ｃ，３５ｃには、それぞれ、横方向Ｘへ伸長状態で延びる第１、第２及び第３ウエスト弾性体３１ａ，３２ａ，３１ｂ，３２ｂ，３１ｃ，３１ｄが配置される。
【００１８】
第１ウエスト弾性体３１ａ，３２ａは、ウエスト開口縁側においてウエスト外層２６，２７の折返し部２６ａ，２７ａとそれに対向して位置するウエスト外層２６，２７の一部との間にホットメルト接着剤を介して取り付けられており、第２及び第３ウエスト弾性体３１ｂ，３２ｂ，３１ｃ，３２ｃは、ウエスト内層２４，２５とウエスト外層２６，２７との間にホットメルト接着剤を介して取り付けられている。第１、第２及び第３ウエスト弾性体３１ａ，３２ａ，３１ｂ，３２ｂ，３１ｃ，３１ｄは、ストリング状またはストランド状の弾性材料から形成することができる。
【００１９】
第１ウエスト弾性体３１ａ，３２ａには、繊度が約３１０〜７８０ｄｔｅｘの弾性体を収縮して自然状態にあるときの長さからその長さの約１．８〜２．８倍（の長さにまで伸長したものを使用することができる。第２ウエスト弾性体３１ｂ，３２ｂには、繊度が約４７０〜９４０ｄｔｅｘの弾性体を収縮した状態から約１．６〜３．８倍の長さにまで伸長したものを使用することができる。第３ウエスト弾性体３１ｃ，３２ｃには、繊度が約３１０〜６２０ｄｔｅｘの弾性体を収縮した状態から約１．１〜３．８倍の長さにまで伸長したものを使用することができる。
【００２０】
第３ウエスト弾性体３１ｃ，３２ｃは、吸収体５８を収縮させることがないような態様で使用されることがある。例えば図２，３に示されているように、吸収体５８を横断することがないように、前後ウエストパネル１８，１９の両側縁１８ｃ，１８ｄ，１９ｃ，１９ｄから吸収体５８の両側縁まで延びる態様で使用される。また、第３ウエスト弾性体３１ｃ、３２ｃが吸収体５８を横断するものである場合には、吸収体５８と重なる部分においての伸長倍率を低くして、例えば１．４倍以下にして使用し、両側縁１８ｃ，１８ｄ，１９ｃ，１９ｄから吸収体５８の両側縁までの部分では、伸長する倍率を高くして、例えば１．４倍を越える値にして使用されることがある。吸収体５８は、おむつ１０の着用時に着用者の両脚に挟み込まれて横幅が狭くなるように変形するが、吸収体５８に対して第３ウエスト弾性体３１ｃ，３２ｃをこのように使用することで、吸収体５８の変形する程度を小さくすることができる。ただし、この発明において、第３ウエスト弾性域３１ｃ，３２ｃは、吸収体５８を収縮させる作用を有するものとして使用することもできる。
【００２１】
後ウエスト域１５において、第３ウエスト弾性体３２ｃは、第１及び第２ウエスト弾性体３２ａ，３２ｂに比べて繊度及び伸長倍率が小さいものであって、下側弾性域３５ｃの伸長力は、他の弾性域３５ａ，３５ｂに比べて低くなっている。図示例でいえば、各弾性域のうちで吸収体５８と重なることのない部分について、その部分から横方向Ｘの長さが３−５ｍｍの試片を切り取って、自然状態にある試片に横方向Ｘの離間寸法が２ｃｍの一対の標線を記入し、その離間寸法が１．７倍になるまで伸長した時の各試片の伸長力を求めて、比較する。好ましいおむつ１０において、上側弾性域３５ａの試片が約０．７〜１．７Ｎ，中間弾性域３５ｂの試片が０．４〜１．４Ｎ，下側弾性域３５ｃの試片が約０．２〜１．２Ｎであって、各弾性域の伸長力の相互関係は、上側弾性域３５ａ≧中間弾性域３５ｂ＞下側弾性域３５ｃである。なお、前ウエスト域１４における各弾性域の伸長力の相互関係は、中間弾性域３４ｂ≧上側弾性域３４ａ＞下側弾性域３４ｃであることが好ましい。なお、各試片の間において試片の幅である縦方向Ｙの寸法が一定でない場合には、各試片についての伸長力を幅が３０ｍｍである場合の値に換算したときの伸長応力によって各試片を比較する。また、伸長力を測定するには、引張試験機として、例えばＩＮＳＴＲＯＮ  Ｍｏｄｅｌ  ５５６４またはそれと同等のものを使用し、引張速度を１００ｍｍ／ｍｉｎに設定する。
【００２２】
上述した伸長力の相互関係は、例えば、各ウエスト弾性体３１，３２を同一の材料で形成し、縦方向Ｙへ等間隔で離間させ、繊度（ｄｔｅｘ）だけは第１ウエスト弾性体３１ａ，３２ａと、第２ウエスト弾性体３１ｂ，３２ｂと、第３ウエスト弾性体３１ｃ，３２ｃとの間で違いを付けることによって得ることができる。また、同一の材料からなり、繊度が同一のウエスト弾性体３１，３２を用いて、各弾性域における弾性体どうしの離間距離に違いをつけることによっても得ることができる。なお、各ウエスト弾性体３１，３２の材料、繊度、離間距離は、上述した相互関係となるように適宜設定することができる。
【００２３】
＜クロッチパネル＞
クロッチパネル１３は、前後ウエストパネル１８，１９と重なり合う前後端部４６，４７と、前後端部４６，４７間に位置してクロッチ域を１６を形成している中間部４８とを有し、通気性の不織布で形成された外装シート６５と、吸液構造体１１と、一対のサイドフラップ４３とを含む。外装シート６５には、不織布の外に、不織布とプラスチックフィルムとを用いることもできる。吸液構造体１１は、外装シート６５の肌対向面側に配置され、一対のサイドフラップ４３は、吸液構造体１１の横方向の外側に配置される。
【００２４】
図４を参照すると、クロッチパネル１３の前後端部４６，４７は、その非肌対向面側に塗布されたホットメルト接着剤（図示せず）を介して前後ウエストパネル１８，１９の肌対向面に対して、下端縁１８ａ，１９ｂに沿って固定される。接合域４１は、ホットメルト接着剤以外の公知の接合手段によって形成されてもよい。ホットメルト接着剤の塗布域４１は、所定幅を有する帯状のラインを形成して横方向Ｘへ互いに並行して延びる複数条の第１接合部４１ａと、スパイラル状の線を画きながら縦方向Ｙに延びる複数条の第２接合部４１ｂとを有する。第１接合部４１ａの幅寸法は、第２接合部４１ｂを形成するスパイラル状の線の幅寸法よりも大きく形成される。第１及び第２接合域４１ａ，４１ｂは、縦方向Ｙ及び横方向Ｘに限らず、互いに異なる方向に延びていればよく、第１接合域４１ａをスパイラル状に形成し、第２接合域４１ｂを線状に形成してもよい。接合域４１を異なる二方向、特に縦方向Ｙ及び横方向Ｘに延びる第１及び第２接合域４１ａ，４１ｂで形成することで、前後ウエストパネル１８，１９とクロッチパネル１３との間では、縦方向Ｙ及び横方向Ｘに作用する外力に対しての耐久性が向上し、サイドフラップ４３が横方向Ｘの内側に倒れ込むことを防止することができる。
【００２５】
＜吸液構造体＞
吸液構造体１１（図３参照）は、縦長のパッド形状を有し、前後端部５４，５５と、中間部５６とを有し、少なくともクロッチ域１６において縦方向Ｙへ、すなわち前後ウエストパネル１８，１９に向かって延びる吸収体５８と、吸収体５８の肌対向面側を被覆している透液性表面シート５９と、吸収体５８の非肌対向面側に位置する不透液性または通気不透液性の裏面シート６０とを含む。前後端部５４，５５は、それぞれ、ホットメルト接着剤（図示せず）を介して前後ウエストパネル１８，１９の肌対向面に固定されており、中間部５６はホットメルト接着剤（図示せず）を介してサイドフラップ４３を形成するサイドシート４４の肌対向面に接合される。吸液構造体１１の前端部５４は、前ウエストパネル１８のウエスト内層２４の肌対向面に固定され、後端部５５は、後ウエストパネル１９のウエスト内層２５の肌対向面に固定される。
【００２６】
吸収体５８は、単位面積当たりの質量が約３００〜９００ｇ／ｍ２であって、フラッフパルプと超吸収性ポリマー粒子（ＳＡＰ）とオプションとして含まれる熱溶着性ステープル繊維との混合から形成された芯材とを、液透過性のラッピングシート、例えば液透過性の繊維不織布で被覆することによって形成されている。表面シート５９には、単位面積当たりの質量が約１０〜３０ｇ／ｍ２の透液性のスパンボンド不織布やＳＭＳ不織布等の各種公知の繊維不織布を用いることができる。裏面シート６０には、不透液性のプラスチックフィルム、不透液性の繊維不織布、繊維不織布とプラスチックフィルムとのラミネートシート等を用いることができる。
【００２７】
＜おむつの各寸法＞
図２におけるおむつ１０の一例において、縦方向Ｙの寸法Ｌ１は約３５０〜６００ｍｍ，おむつ１０の横方向Ｘの寸法Ｗ１は約３００〜４３０ｍｍ、クロッチ域１６の縦方向Ｙにおける寸法Ｌ２は約１８０〜３００ｍｍ、前ウエスト域１４の側縁１８ｄの縦方向Ｙにおける寸法（後ウエスト域１５の側縁１９ｄの縦方向Ｙにおける寸法と同じ）Ｌ３は約１６０〜１８０ｍｍである。
【００２８】
＜サイドフラップ＞
図５及び６を参照すると、一対のサイドフラップ４３は、吸液構造体１１の両側縁から横方向Ｘの外側に延出する。図５及び６においては、一対のサイドフラップ４３のうちの一方についてのみ図示したものであるが、当然に他方のサイドフラップ４３についても同様の構成を有する。図２及び４を併せて参照すると、サイドフラップ４３は、前端部９１と、後端部９２と、前後端部９１，９２の間に位置する中間部９３とを有し、サイドシート４４と、複数条のストリング状またはストランド状のレッグ弾性体４５と、図柄（図示せず）が画かれた図柄表示部６１を有するプラスチックフィルム６０とを含む。前後端部９１，９２は、接合域４１を介して前後ウエストパネル１８，１９の下端縁１８ａ，１９ｂに沿うレッグ開口縁部１８ｅ，１９ｅそれぞれの肌対向面に固定される。サイドシート４４は、サイドフラップ４３の外形を画定し、クロッチ域１６から前後ウエスト域１４，１５へ延びる縦長方形状を有し、横方向Ｘの外側に位置する折曲部４４ａで折り返されている。図５から明らかなように、折曲部４４ａは、サイドフラップ４３の外側縁でもある。レッグ弾性体４５およびフィルム６０は、折り重ねられたサイドシート４４の間にあって、図柄表示部６１はクロッチ域１６から前後ウエスト域１４，１５にまで延びている（図２参照）。サイドフラップ４３において、レッグ弾性体４５の存在する部位はレッグ弾性域４２である。サイドフラップ４３の横方向Ｘにおいて、中心線Ｐ（図２参照）に最も近い位置にあるレッグ弾性体４５は最内側レッグ弾性体４５ａであり、中心線Ｐから最も遠い位置にあるレッグ弾性体４５は最外側レッグ弾性体４５ｂである。
【００２９】
＜レッグ弾性体＞
レッグ弾性域４２において、レッグ弾性体４５は、サイドフラップ４３の外側縁４４ａに並行した状態で、サイドシート４４に伸長状態で取り付けられる。本実施形態では、レッグ弾性体４５として繊度が２５０〜５００ｄｔｅｘの弾性糸を１．８〜３倍に伸長した状態で取り付けている。従来であれば、レッグ弾性体として、４７０ｄｔｅｘ以上の弾性糸、例えば６２０ｄｔｅｘや７８０ｄｔｅｘの弾性糸を使用する例が多いが、これらよりも繊度の小さい弾性糸を同じような伸長倍率で使用すると、図１の如くＵ字型に湾曲しているクロッチ域１６の縦方向Ｙの最下部１６ａでは、その最下部１６ａに位置するサイドフラップ４３のレッグ弾性域４２が横方向Ｘへ水平にのびるように、または水平に近い状態で延びるようになるという特異な状態を得ることができる（図６参照）。レッグ弾性体４５としては、一条または複数条のストリング状の弾性体を使用することが好ましいが、帯状の弾性体を使用することもできる。また帯状の弾性体とストリング状の弾性体とを組み合わせて使用することもできる。一条の帯状の弾性体をレッグ弾性体４５として用いた場合、その帯状のレッグ弾性体４５の最内側縁及び最外側縁のそれぞれがレッグ弾性域４２の内側縁４２ａ及び外側縁４２ｂとなる。
レッグ弾性域４２と、前後ウエストパネル１８，１９の上側弾性域３４ａ，３５ａ及び中間弾性域３４ｂ，３５ｂとの伸長力の相互関係は、上側弾性域３４ａ，３５ａ＞レッグ弾性域４２、中間弾性域３４ｂ，３５ｂ＞レッグ弾性域４２であることが好ましい。このような相互関係があると、着用状態にあるおむつ１０をずり落ちることがないように着用者の胴回りと腰回りとにフィットさせながら、レッグ開口２３に挿入する脚とともに、サイドフラップ４３をおむつ１０の外側へ向けることが容易になる。すなわち、サイドフラップ４３がおむつ１０の内側に向かって折れ曲がることを避けることができる。
各弾性域３４ａ，３４ｂ，３４ｃ，３５ａ，３５ｂ，３５ｃ，４２の伸長力を比較するには、上側弾性域３４ａ，３５ｂ、中間弾性域３４ｂ，３５ｂ、下側弾性域３４ｃ,５ｃについて、前後ウエスト域１４，１５の伸長力を求めたときと同様にして求める。サイドフラップ４３については、幅方向においてすべての弾性体４５を含み、長さ方向の寸法が３−５ｃｍの試片を切り取って、その試片について、例えば上側弾性域３５ｂと同様の引張り試験をして、離間寸法が２ｃｍである標線間の寸法が１．７倍になったときの伸長力を求め、前後ウエスト域１４，１５における各伸長力と比較する。
【００３０】
また、前後ウエスト域１４，１５のそれぞれを平面視したときに、クロッチパネル１８と前後ウエスト域１４，１５とが重なり合う部分において、レッグ弾性体４５は、複数条の第３ウエスト弾性体３１ｃ，３２ｃのうち、少なくとも一条の第３ウエスト弾性体３１ｃ，３２ｃと交差した状態にある。レッグ弾性体４５が作るレッグ弾性域４２と、第３ウエスト弾性体３１ｃ，３２ｃが作る下側弾性域３４ｃ，３５ｃとは、同じ伸長倍率にまで伸長したときに、下側弾性域３４ｃ,３５ｃそれぞれの伸長力がレッグ弾性域４２の伸長力よりも大きくなるように構成される。また、より好ましいおむつ１０では、レッグ弾性域４２の内側縁４２ａを形成している最内側レッグ弾性体４５ａと交差している前後ウエストパネル１８，１９の下側弾性域３４ｃ,３５ｃにおける最下部のウエストパネル弾性体３１ｃ、３２ｃの伸長力は、レッグ弾性体４５ａの伸長力よりも大きい。これら弾性体３１ｃ、３２ｃ、４５ａの伸長力は、こら弾性体３１ｃ、３２ｃ、４５ａそれぞれを、それをサンドウィッチしている不織布とともに切り取ることによって試片を作り、レッグ弾性域４２の伸長力を測定するときの条件と同じ条件で伸長力を測定すればよい。
このような収縮関係を有して前後ウエスト域１４，１５に重なるサイドフラップ４３は、おむつ１０が図１の如く自然状態にあるときの最下部１６ａにおいて、水平に近い状態を維持しやすくなる。したがってまた、おむつを着用するときに、サイドフラップ４３がおむつ１０の内側に向かって折れ曲がることを防止することができる。
【００３１】
＜フィルム＞
フィルム６０は、プラスチック材料から形成されており、非肌対向面側には図柄の画かれた図柄表示部６１を有する。本実施形態のフィルム６０では、非肌対向面の全面に図柄の印刷を施すことによって図柄表示部６１が形成されている。本発明でいう図柄とは、フィルム６０やサイドフラップ４３を形成している不織布４４に画かれた模様や絵等の図形、文字、記号又は着色域等を含むとともに、これらの組み合わせを含む。図柄には無彩色を施すこともできれば有彩色を施すこともできる。図柄に使用する明度、彩度、色相には制約がない。図柄表示部６１において、図柄は連続的に形成されていてもよいし、断続的に形成されていてもよい。例えば、図２に示すように、複数のドットの集合体であってもよい。ただし、図柄表示部６１は、前ウエストパネル１８から後ウエストパネル１９にまで延びていなければならない。また、サイドフラップ４３の横方向Ｘにおいて図柄表示部６１は、少なくともレッグ弾性域４２の内側縁４２ａの内側に形成され、サイドフラップ４３の非肌対向面側から視認可能でなければならない。換言すると、横方向Ｘにおいて、図柄表示部６１は、レッグ弾性域４２の内側縁４２の内側だけにあってもよいし、内側縁４２を跨ぐように形成されていてもよいし、サイドフラップ４３の外側縁である折曲部４４ａにまで広がっていてもよい。図柄表示部６１はまた、内側縁６１ａと外側縁６１ｂ（図５参照）とを有する。外側縁６１ｂは、レッグ弾性域４２の内側縁４２ａと平行となるように形成される。本実施形態において、図柄表示部６１の内側縁６１ａは、吸液構造体１１とレッグ弾性域４２の内側縁４２ａとの間に位置しているが、内側縁６１ａは吸液構造体１１と重なる位置にあってもよい。縦方向Ｙにおいて図柄が断続的に形成されている場合の外側縁６１ｂは、図柄表示部６１の最外側に位置する図柄の縁部を縦方向Ｙに向かって順次つなぐことによって得られる線である。図柄表示部６１は、フィルム６０ではなく、サイドシート４４に印刷されることによって形成されてもよく、この場合のサイドフラップ４３では、フィルム６０を省くことができる。
【００３２】
サイドフラップ４３において、図柄表示部６１の横方向Ｘの外側には、目視において図柄表示部６１と識別可能な第２表示部６３の形成されることがある。第２表示部６３は、レッグ開口３４の周縁を形成するサイドシート４４の折曲部４４ａから図柄表示部６１の外側縁６１ｂまでの間に形成され、図柄表示部６１を顕在化させることができる。本実施形態では、サイドシート４４の地色である白色の第２表示部６３が形成されている。第２表示部６３には、図柄表示部６１における図柄と異なる図形や文字を表示してもよい。また、図５におけるフィルム６０の幅を広げそのフィルム６０に図柄表示部６１と、第２表示部６３とを形成する構成としてもよい。なお、サイドフラップ４３は第２表示部６３が形成されず、図柄表示部６１が折曲部４４ａにまで広がっていてもよい。
【００３３】
図７の（ａ），（ｂ）を参照すると、おむつ１０の着用状態において、サイドフラップ４３は、着用者の大腿部に当接して横漏れを防ぐガスケットカフとしての機能を発揮している。サイドフラップ４３には、図柄表示部６１がレッグ弾性域４２の内側縁４２ａを跨いで形成されるため、母親等がおむつ１０のレッグ弾性域４２の内側縁４２ａに着目することは困難であっても、内側縁４２ａに相当する部位に着目することは容易である。これにより、使用者はレッグ弾性域４２がおむつ１０の内側に巻き込まれていたり、蛇行していたりするという異常な状態にあれば、その状態を容易に発見することができる。また、前後ウエストパネル１８，１９のレッグ開口縁部１８ｅ，１９ｅには、図柄表示部６１との識別が可能な部位が形成されているため、使用者は、前後ウエストパネル１８，１９との対比によって図柄表示部６１の存在を容易に認識して、サイドフラップ４３の異常を容易に発見することができる。そのように識別が可能な部位の一例は、図柄表示部６１の色とは異なる色を有する部位である。本実施形態ではまた、レッグ開口縁部１８ｅ，１９ｅに図柄が表示されていない第２表示部６３を形成することにより、図柄表示部６１との対比によってレッグ開口縁部１８ｅ，１９ｅの存在を容易に認識できる。更に、図６に示すとおり、サイドフラップ４３において、レッグ弾性域４２の内側縁４２ａと吸収体５８の側縁との間の領域は、第１接合部４１ａ（図４参照）を介して前後ウエストパネル１８，１９に固定されるため、すなわちどの領域が横方向Ｘへ確実に広がっているので、前後ウエスト域１４，１５において、レッグ弾性域４２の内側縁４２ａが、おむつ１０の装着時におむつ１０の内側へ入り込んで、折れ曲がることを防止することができる。更に、第１接合部４１ａがレッグ弾性域４２の外側縁２４ｂまで延びている場合には、レッグ弾性域４２の幅方向（横方向Ｘ）の全域が内側へ折れ曲がることを防止することができる。
【００３４】
図８に示すように、着用状態にあるおむつ１０のクロッチ域１６、特に着用者の鼠蹊部付近のクロッチ域１６では、サイドフラップ４３が前後ウエストパネル１８，１９によって動きを拘束されていないため、サイドフラップ４３がおむつ１０の内側に向かっての折れ曲がりが生じやすい。この場合、前後ウエスト域１４，１５側の付近に位置する図柄表示部６１に対し、鼠蹊部に位置する図柄表示部６１がおむつ１０の内側へ折れ曲がると図柄表示部６１の一部が見えなくなることにより、サイドフラップ４３の折れ曲がりを容易に発見することができる。サイドフラップ４３がレッグ弾性域４２の内側縁４２ａの近傍で折れ曲がり、おむつ１０の内側に入り込んだ場合、サイドフラップ４３と身体との間に隙間が形成される。この状態に気づかない場合、排泄物の横漏れをおこすおそれがあるが、本発明では、内側縁４２ａの折れ曲がり、おむつ１０の内側への入り込みに気づくことを容易にし、このような状態を解消することで、横漏れを防止することができる。図柄表示部６１の外側縁６１ｂは、レッグ弾性域４２の内側縁４２ａと平行に形成されているため、内側縁４２ａと平行な図柄の存在を認識できなくなることにより、サイドフラップ４３の折れ曲がりの発見が容易になる。更に、図柄表示部６１の外側に第２表示部６３が形成されることにより、内側縁４２ａよりも外側の部位が折れ曲がった場合にも、この折れ曲がりを容易に発見することができ、したがって、レッグ弾性域４２の全域においてサイドフラップの折れ曲がりを発見しやすくすることができる。
【００３５】
図９（ａ），（ｂ）を参照すると、おむつ１０の着用者が乳幼児の場合には、腰を浮かせて足指を口に咥えたり、横臥状態で両脚を交差させる等の乳幼児に特有の動作をしたりすることがある。かかる動作をする際には、レッグ弾性域４２の収縮作用によって後ウエスト域１５の下側弾性域３５ｃが引っ張られて、後ウエスト域１５全体が前方へずれるように移動して、乳幼児の背側が露出してしまう等の問題がある。かかる場合において、レッグ弾性域４２の伸長力が後ウエスト域１５の各弾性域よりも大きいと、レッグ弾性域４２の収縮作用によって後ウエスト域１５がより一層前方へ移動し易くなる。本実施形態においては、レッグ弾性域４２の伸長力を上側弾性域３５ａ及び中間弾性域３５ｂのそれぞれよりも小さくしていることから、レッグ弾性域４２の収縮によって下側弾性域３５ｃにそれを前方へ引っ張ろうとする力が作用しても、下側弾性域３５ｃが大きく位置ずれすることはなく、後ウエスト域１５全体が前方へ移動することはない。また、着用者の臀部の最も突出部した部分から腰部にかけての縦方向Ｘで対向して位置する中間弾性域３５ｂと上側弾性域３５ａとの伸長力を比較的に大きくすることによって、たとえ下側弾性域３５ｃにレッグ弾性域４２によってそれを前方へ引っ張ろうとする力が作用したとしても、後ウエスト域１５の中間弾性域３５ｂと上側弾性域３５ａとの位置する上方部分は、着用者の身体にフィットし、かつ、臀部の上端に引っ掛かるように位置する。
【００３６】
特に、後ウエスト域１５の各弾性域における伸長力の相互関係が、上側弾性域３５ａ＞中間弾性域３５ｂ＞下側弾性域３５ｃという関係にあると、おむつ１０のウエストパネルにおける上側弾性域３５ａを使用しておむつ１０の腰の背側部分に強く押し当てることができたおむつ１０のフィット性が向上する。
【００３７】
＜第２実施形態＞
図１０に伸展した状態で示すおむつ１０では、クロッチパネル１３が、吸液構造体１１の配置された外装シート６５と、一対のサイドフラップ４３とを含み、外装シート６５（図３参照）及びサイドフラップ４３は、接合域４１（図４参照）を介して前後ウエストパネル１８，１９に接合される。サイドフラップ４３は、外装シート６５の両側部に固定されたカバーシート８０と、カバーシート８０に被覆された複数条のストリング状又はストランド状のレッグ弾性体４５と、カバーシート８０に被覆されたフィルム６０（図５参照）を含む。フィルム６０には図柄を有する図柄表示部６１が形成される。図柄表示部６１はレッグ弾性域４２の内側縁４２ａを跨いで形成され、図柄表示部６１の横方向Ｘの外側には、第２表示部６３が形成される。第２実施形態のおむつ１０では、第１実施形態と同様に、接合域４１により、前後ウエスト域１４，１５において、レッグ弾性域４２の内側縁４２ａがレッグ開口２３の内側に折れ曲がることを防止することができる。また、図柄表示部６１及び第２表示部６３によって、サイドフラップ４３の折れ曲がりを容易に発見することができる。
【００３８】
サイドフラップ４３のカバーシート８０は、１枚の繊維不織布又はプラスチックフィルムから形成されており、２つ折りに重ねられた状態でホットメルト接着剤を介して外装シート６５に固定されており、レッグ弾性体４５は、その周面に塗布されたホットメルト接着剤（図示せず）を介してカバーシート８０を折り曲げて固定した折曲部４４ａの内側に伸長状態で収縮可能に固定されている。サイドフラップ４３は、全体として縦方向Ｙに収縮した状態で外装シート６５の肌対向面に固定されており、横方向Ｘに延びる多数のギャザー８１が縦方向Ｙへ並ぶように形成されている。ギャザー８１は、レッグ弾性体４５が配設された領域のみならず、サイドフラップ４３がベースシート８７に固定された接合部８２においても横方向Ｘに延びるとともに縦方向Ｙに並んでいる。
【００３９】
クロッチ域１６の縦方向Ｙにおける寸法、すなわち、前ウエスト域１４の下端縁１８ａと後ウエスト域１５の下端縁１９ａとの図面における縦方向Ｙの離間寸法Ｌ２は１８０〜３００ｍｍであるところ、サイドフラップ４３の最大伸長時における折曲部４４ａとその近傍部分の寸法Ｌ４は、約２１０〜４２０ｍｍであることが好ましい。ここで、有効伸長寸法Ｌ４とは、前後ウエスト域１４，１５に固定された実質的に伸長しない前後端部４６，４７を除く前ウエスト域１４の下端縁１８ａと後ウエスト域１５の下端縁１９ａとの間に位置するサイドフラップ４３のうちの折曲部４４ａの長さである。折曲部４４ａはギャザー８１が消失する程度にまで、弾性的に伸長することが可能で、そのように伸長したときの寸法Ｌ４はＬ２よりも大きくなる。好ましいサイドフラップ４３は、クロッチ域１６の縦方向Ｙにおける寸法Ｌ２の少なくとも１．０５倍、より好ましくは１．０５〜１．５倍、さらに好ましくは、１．１〜１．４倍だけ弾性的に伸長可能に形成される。本実施形態のおむつ１０の場合には、着用時においてサイドフラップ４３は、横方向Ｘにおいて、レッグ弾性域４２の幅全体が大腿部に安定的にフィットする。
【００４０】
図１０から得られるおむつ１０において、サイドフラップ４３が伸長するときの最大寸法を知るには、図１０のおむつＳ１０から、サイドフラップ４３を前後ウエストパネル１８，１９の一部分とともに切り取って試片を作り、その試片をギャザー８１が消失する程度にまで縦方向Ｙへ引っ張り、寸法Ｌ２に相当する部分の長さ、すなわち寸法Ｌ４を長尺によって測定すればよい。サイドフラップ４３が図１の状態にあるときに、サイドフラップ４３の折曲部４４ａの伸長量は、非伸長性である吸液構造体１１の影響を受けるからそのとき折曲部４４ａの長さは、試片で求めた長さよりも小さくなることがある。
【００４１】
＜第３実施形態＞
図１１に示す実施形態では、クロッチパネル１３が、吸液構造体１１が配置された外装シート６５を含み、外装シート６５は接合域４１（図４参照）を介して前後ウエストパネル１８，１９に接合される。外装シート６５は、吸液構造体１１の両側縁１１ａ，１１ｂから横方向Ｘに延出する延出部を有し、該延出部を折り重ねて形成された側部６７によって、サイドフラップ４３が形成される。サイドフラップ４３は、側部６７において、外装シート６５に被覆された複数条のストリング状又はストランド状のレッグ弾性体４５と、外装シート６５に被覆されたフィルム６０を含む。フィルム６０には図柄表示部６１が形成される。図柄表示部６１はレッグ弾性域４２の内側縁４２ａを跨ぐか、内側縁４２ａよりも内側に形成され、図柄表示部６１の横方向Ｘの外側には、第２表示部６３が形成される。フィルム６０は、一方のサイドフラップ４３からもう一方のサイドフラップ４３まで延びていてもよく、この場合のフィルム６０は外装シート６５と吸液構造体１１との間に配置される。また、図柄表示部６１は、フィルム６０ではなく、外装シート６５に印刷されることによって形成されてもよく、この場合、フィルム６０を省くことができる。第３実施形態のおむつ１０では、第１実施形態と同様に、接合域４１により、前後ウエスト域１４，１５において、レッグ弾性域４２の内側縁４２ａがおむつ１０の内側に向かって折れ曲がることを防止することができる。また、図柄表示部６１及び第２表示部６３が形成されていることによって、サイドフラップ４３の折れ曲がりを容易に発見することができる。
【００４２】
本実施形態において、後ウエストパネル１９は台形状に形成され、クロッチ域１６側に延出する臀部カバー部３５ｄを有する。臀部カバー部３５ｄには、複数条のストリング状又はストランド状の臀部弾性体３２ｄが横方向Ｘに伸長状態で取り付けられる。前後ウエストパネル１８，１９において、レッグ開口２３の周縁部の一部を形成するレッグ開口縁部１８ｅ，１９ｅには、下端縁１８ａ，１９ａに沿って図柄表示部６１に対して目視による識別が可能な部位が形成される。図柄表示部６１は、それを平面視したときに、臀部弾性体３２ｄと重なる部位において、臀部カバー部３５に接合していることが好ましい。サイドフラップ４３がおむつ１０の内側へ折り曲げられたときには、そのサイドフラップ４３を臀部カバー部３５から透視し、発見することができる。なお、本発明において、「前後ウエスト域１４，１５」とは、前後ウエストパネル１８，１９におけるシーム部２０間の部位を意味するものであって、シーム部２０よりも下方に位置する部分、すなわち、シーム部２０と下端縁１９ａとの間に位置していて臀部弾性体３２ｄによって弾性が付与されている臀部カバー部３５ｄを含むものではない。なお、臀部カバー部３５の形状は、図示例に代えて、矩形にすることもできる。また、おむつ１０では、前ウエストパネル１８の両側部に臀部カバー部３５と同様な垂下部を設けることができる。その垂下部もまた、サイドフラップ４３のうちの図柄表示部６１が存在する部位に接合することが好ましい。
【００４３】
パンツ型の使い捨ておむつ１０を構成する各構成部材には、特に明記されていない限りにおいて、本明細書に記載されている材料のほかに、この種の分野において通常用いられている、各種公知の材料を制限なく用いることができる。また、本明細書及び特許請求の範囲において使用されている「第１」、「第２」及び「第３」の用語は、同様の要素、位置等を単に区別するために用いている。
【００４４】
以上に記載した本発明に関する開示は、少なくとも下記事項に整理することができる。
縦方向およびそれに直交する横方向と、肌対向面およびその反対側に位置する非肌対向面とを有し、前ウエスト域を画定する前ウエストパネルと、後ウエスト域を画定する後ウエストパネルと、前記前後ウエスト域の間に位置するクロッチ域を画定するクロッチパネルとを含み、前記クロッチパネルは、前記クロッチ域から前記前後ウエスト域へ延びる吸収体と、前記吸収体の前記横方向の両側それぞれから延出する一対のサイドフラップ部とを含み、前記前後ウエストパネルの両側部が互いに接合され、前記クロッチパネルの両端部が前記前後ウエストパネルにそれぞれ接合されることにより、ウエスト開口と一対のレッグ開口とが画定されるパンツ型の着用物品において、前記サイドフラップは、前記レッグ開口の少なくとも一部を形成し、前記レッグ開口に沿ってレッグ弾性域を有するとともに、前記前ウエスト域から前記後ウエスト域まで延びる図柄を表示した表示部を有し、前記レッグ弾性域は、前記横方向に対向する内側縁と外側縁とを有し、前記表示部は、前記レッグ弾性域の前記内側縁を跨いで形成され、前記前後ウエスト域の少なくとも一方のウエスト域において、前記サイドフラップは、前記吸収体の側縁と、前記レッグ弾性域の前記内側縁との間が、前記一方のウエスト域を画定するウエストパネルに接合される前記着用物品。
【００４５】
上記段落００４４に開示した本発明に係る着用物品は、少なくとも下記の実施形態を含むことができる。
（１）前記前後ウエストパネルは、前記レッグ開口の前記周縁の一部を形成し、前記前後ウエストパネルには、前記図柄表示部との識別が可能な表示部位が前記周縁に沿って形成されている。
（２）前記少なくとも一方のウエストパネルには、前記横方向に延びる複数条のウエスト弾性体が伸縮可能に位置し、前記サイドフラップには、前記レッグ開口の前記周縁に沿って延びる複数条の前記レッグ弾性体が伸縮可能に位置し、複数条の前記レッグ弾性体のうちで前記レッグ弾性域の前記内側縁を形成する前記レッグ弾性体と、少なくとも一条の前記ウエスト弾性体とが、前記少なくとも一方のウエストパネルと前記サイドフラップとが重なり合い互いに接合している部位において、互いに交差した状態にある。
（３）前記少なくとも一方のウエストパネルにおける前記ウエスト弾性体のうちで、該ウエストパネルの両側部から前記吸収体の両側縁にまで延びている前記ウエスト弾性体は、前記吸収体を横断することのない態様にあるか、前記吸収体を横断していても前記吸収体を横断している部分では弛緩した態様のいずれかの態様にあって、前記吸収体には前記いずれかの態様にある前記ウエスト弾性体の収縮に起因したギャザーが形成されていない。
（４）前記図柄表示部は、前記レッグ弾性域の前記内側縁に並行する外側縁を有し、前記横方向において、前記外側縁の外側には前記表示部位が形成されている。
（５）前記内側縁を形成する前記レッグ弾性体と交差している前記ウエスト弾性体の伸長力は、前記レッグ弾性体の伸長力より大きい。
（６）前記サイドフラップは、前記後ウエスト域において、前記横方向の中心と、前記レッグ弾性域の前記内側縁との間に位置する部位が、前記後ウエストパネルに接合され、前記後ウエストパネルは、前記縦方向の寸法を三等分して得られる前記横方向に伸縮可能な上側弾性域と下側弾性域と、前記上側弾性域と前記下側弾性域との間に位置して、前記横方向に伸縮可能な中間弾性域との間において、前記上側及び中間弾性域それぞれの伸長力は、前記下側弾性域の伸長力よりも大きく、かつ、前記レッグ弾性域の前記縦方向の伸長力よりも大きい。
（７）前記クロッチパネルは、前記縦方向と前記横方向とに延びる接合部のそれぞれを介して前記前後ウエストパネルに接合される。
（８）前記クロッチパネルにおける前記サイドフラップは、前記吸液構造体とは別体に形成されていて、前記横方向へ延びる多数のギャザーが前記縦方向に並んだ状態で前記吸液構造体に接合されており、前記サイドフラップの前記横方向における最外側部分を前記縦方向へ伸長したときの最大寸法は、前記サイドフラップが接合されている部分における前記吸液構造体の前記縦方向の寸法よりも大きい。
【符号の説明】
【００４６】
１０    着用物品（おむつ）
１３    クロッチパネル
１４    前ウエスト域
１５    後ウエスト域
１８    前ウエストパネル
１９    後ウエストパネル
２２    ウエスト開口
２３    レッグ開口
３１，３２    ウエスト弾性体
３４ａ，３５ａ    上側弾性体
３４ｂ，３５ｂ    中間弾性体
３４ｃ，３５ｃ    下側弾性体
４１    接合域
４２    レッグ弾性域
４２ａ    内側縁
４３    サイドフラップ
４５    レッグ弾性体
５４，５５    端部
５８    吸収体
５９    表面シート
６１    図柄表示部
６１ａ    内側縁
６１ｂ    外側縁
６３    第２表示部（表示部位）
Ｐ    中心線
Ｘ    横方向
Ｙ    縦方向
【図１】
0005996511.tif 000002
【図２】
0005996511.tif 000003
【図３】
0005996511.tif 000004
【図４】
0005996511.tif 000005
【図５】
0005996511.tif 000006
【図６】
0005996511.tif 000007
【図７】
0005996511.tif 000008
【図８】
0005996511.tif 000009
【図９】
0005996511.tif 000010
【図１０】
0005996511.tif 000011
【図１１】
0005996511.tif 000012